(57)【特許請求の範囲】
【請求項１】
冷媒と水とが熱交換を行う温水用熱交換器を有するヒートポンプ式給湯機の排水装置において、
前記温水用熱交換器に接続し、内部に排水路を形成する排水管と、
この排水管に止水用シール部材を介して螺合し、ホースエンド部を有する水抜栓と、
前記ホースエンド部に着脱自在に装着される水抜きホースと、
前記水抜栓の前記排水管のネジ部と螺合する部分の端部に、前記止水用シール部材より下流側の水抜き路を水密するリング状のシール部材と、を備え、
前記シール部材は、前記水抜栓と前記ネジ部との螺合を緩めた場合に生じる隙間から漏れる水または温水を保持し、水漏れを防止することを特徴とするヒートポンプ式給湯機の排水装置。
【請求項２】
前記水抜栓のホースエンド部の外周面に、ホース挿入方向に径が徐々に拡大するテーパ部と、このテーパ部から屈曲して段差を形成する屈曲部とが連続して複数形成されたホース挿入部を形成したことを特徴とする請求項１記載のヒートポンプ式給湯機の排水装置。
【発明の詳細な説明】
【技術分野】
【０００１】
この発明は、ヒートポンプ式給湯機の排水装置及びヒートポンプ式給湯機の給湯ユニットに関するものである。
【背景技術】
【０００２】
例えば、ガス湯沸器などに設けられる排水装置は、排水管に水抜栓を螺合し、水抜栓をゆるめて排水する方式を一般とする。排水管は湯沸器等の熱交換器に接続されている水路に接続されている。排水管にはネジ部が設けられ、水抜栓がネジ部に螺合する。水抜栓に加圧防止装置が付いていて何らかの原因で内圧が高くなった時自動的に加圧防止装置が働き内圧を下げるようになっている。合成樹脂製のホースエンドが水抜栓に回動自在に取付けられ、ホースエンドの取付部が水抜栓の溝部にゆるく嵌合している。そして、ホースがホースエンドに取付けられている。排水をホースを介して別箇所へ排水する時でも、ホースを保持して水抜栓をゆるめれば排水ができる。水抜栓のゆるめ作業が行い易く、又ホースのねじれが生じることがない湯沸器等の排水装置が提案されている（例えば、特許文献１参照）。
【特許文献１】実開昭５７−３９３９号公報
【発明の開示】
【発明が解決しようとする課題】
【０００３】
従来の排水装置は、以上のように構成されているので、軟質合成樹脂にて形成された水抜き用のホースはホースエンドに常設しなければならずホースが劣化しやすくなる。またホースエンドは水抜栓本体に緩く嵌合されているため、水抜栓本体とホースエンドに生じる隙間から水または温水が漏れて周囲を汚すなどの課題があった。
【０００４】
この発明は、上記のよう課題を解決するためになされたもので、水抜きホースを劣化させることなくホースエンドに脱着可能で、水抜栓を緩めて排水する場合、本体とホースエンドに生じる隙間から水または温水の漏れることのないヒートポンプ式給湯機の排水装置及びヒートポンプ式給湯機の給湯ユニットを提供することを目的とする。
【課題を解決するための手段】
【０００５】
この発明に係るヒートポンプ式給湯機の排水装置は、冷媒と水とが熱交換を行う温水用熱交換器を有するヒートポンプ式給湯機の排水装置において、温水用熱交換器に接続し、内部に排水路を形成する排水管と、この排水管に止水用シール部材を介して螺合し、ホースエンド部を有する水抜栓と、ホースエンド部に着脱自在に装着される水抜きホースとを備えたことを特徴とする。
【発明の効果】
【０００６】
この発明に係るヒートポンプ式給湯機の排水装置は、上記構成により、水抜きホースは常設させることなく脱着可能となり水抜きホースの劣化を防止できる。
【発明を実施するための最良の形態】
【０００７】
実施の形態１．
図１乃至図８は実施の形態１を示す図で、図１はヒートポンプ式給湯機の給湯ユニット１０１の内部正面図、図２はヒートポンプ式給湯機の給湯ユニット１０１の冷媒及び水回路図、図３は温水用熱交換器２１の平面図（ａ）とＡ−Ａ断面図（ｂ）、図４は温水用熱交換器２１の部分斜視図、図５はヒートポンプ式給湯機の排水装置２０の構成図、図６はホースエンド部９付近の拡大図、図７はヒートポンプ式給湯機の排水装置２０の構成図、図８はフロン系冷媒と自然冷媒の特性を比較した図である。
【０００８】
ヒートポンプ式給湯機の給湯ユニット１０１は、図１に示す構成であり、温水用熱交換器２１は、中間ベース２８より下の、ヒートポンプ式給湯機の給湯ユニット１０１の下部に設置される。
【０００９】
空気用熱交換器２２、及びプロペラファン２３を有する空気熱交換室２４と、この空気熱交換室２４の側部に設けられ、冷媒回路の圧縮機２５、及びヒートポンプ式給湯機の給湯ユニット１０１の運転を制御する電気品２６等を有する機械室２７とを中間ベース２８の上に設置している。
【００１０】
温水用熱交換器２１の側面下部に、後述するヒートポンプ式給湯機の排水装置２０が設置されている。ヒートポンプ式給湯機の排水装置２０には、水抜きホース８が接続される。
【００１１】
このように、容積の大きい温水用熱交換器２１をヒートポンプ式給湯機の給湯ユニット１０１の下部に設置し、空気熱交換室２４と機械室２７とをヒートポンプ式給湯機の給湯ユニット１０１の上部に設置することにより、容積効率のよい部品配置を実現している。
【００１２】
図２に示すように、冷媒３２が流れる冷媒回路は、冷媒を圧縮する圧縮機２５、温水用熱交換器２１、絞り装置３６、空気用熱交換器２２を順次接続して構成される。本実施の形態は、温水用熱交換器２１の水回路における排水に関するものであるから、冷媒回路の詳細については説明は省略する。
【００１３】
尚、冷媒回路の冷媒には、臨界温度の低いＣＯ２（二酸化炭素）冷媒（臨界温度は３１℃）を使用している。図８に示すように、ＣＯ２冷媒はフロン系冷媒よりも地球温暖化係数（ＧＷＰ）、オゾン層破壊係数（ＯＤＰ）が小さい。このようなＣＯ２を冷媒として使用するので、効率良く高温（９０℃以上）沸き上げが可能となると同時に、地球温暖化防止に貢献できる効果がある。温水用熱交換器２１は、圧縮機２５より吐出された高圧のガス冷媒と給湯用水とを熱交換する。温水用熱交換器２１の下部に、排水管２と水抜栓１とを有するヒートポンプ式給湯機の排水装置２０が設けられる。
【００１４】
図３（ａ）に示すように、温水用熱交換器２１は、平面上において長円形状となるように渦巻き形状に、上下に二段（図３（ｂ）参照）に形成された水通路となる水配管３４と、水配管３４の外周に螺旋状に巻き付けられた冷媒通路となる冷媒配管３５とを備える。但し、温水用熱交換器２１の段数は任意でよい。
【００１５】
温水用熱交換器２１は、例えば、ヒートポンプ式給湯機の室外ユニットの水側熱交換器に使用される。水配管３４を流れる水と、冷媒配管３５を流れる冷媒とは対向流となるように逆向きに流れる。冷媒には、ＣＯ２、ＨＦＣ、ＨＣＦＣ、ＨＣ等が用いられる。
【００１６】
図３に示す温水用熱交換器２１は、例えば、冷媒配管３５が外周に螺旋状に巻き付けられた水配管３４の一段目の渦巻きの外周側の水入口部３４ｅから巻き始め、一段目の渦巻きの中心部から二段目の渦巻きに移行し、その後二段目の渦巻きの外周側まで巻き、最後に曲線部２１ａで外周側の渦巻きの径より小さい径で曲げて、直線部２１ｂの先端の水出口部３４ｆが温水用熱交換器２１の中心部付近に位置するように構成する。
【００１７】
例えば、ヒートポンプ式給湯機の室外ユニットの水側熱交換器に温水用熱交換器２１が使用される場合に高温となる水配管３４の水出口部３４ｆが温水用熱交換器２１の中心部付近に位置するので、形状の自由度が増加し、実装密度が高くなり、省スペースでヒートポンプ式給湯機の室外ユニット内に設置できる効果がある。
【００１８】
図４に示すように、水配管３４は、外壁側に管外壁側螺旋状凹部３４ａが螺旋状に、ここでは３条並列に形成されている。条数は少なくとも１条あればよい。
【００１９】
管外壁側螺旋状凹部３４ａの両端には、管外壁側螺旋状凸部３４ｂがやはり螺旋状に形成されている。
【００２０】
図５に示すように、ヒートポンプ式給湯機の排水装置２０の水抜栓１は、温水用熱交換器２１に接続し、内部に排水路６を形成する排水管２のネジ部３と螺合している。止水用シール部材４は排水管２の弁座５に接して水密を保ち、止水用シール部材４により排水管２の排水路６と、止水用シール部材４より下流側の水抜き路７を水密している。
【００２１】
水抜きホース８は、水抜栓１に一体に成形されたホースエンド部９に設けられたホース挿入部１０と嵌合している。
【００２２】
ホース挿入部１０は、図６に示すように、水抜きホース８が挿入し易く、かつ簡単には抜けないように構成されている。ホース挿入部１０は、ホースエンド部９の外周面に、ホース挿入方向に径が徐々に拡大するテーパ部１０ａと、このテーパ部１０ａから屈曲して段差を形成する屈曲部１０ｂとが連続して複数形成された構成である。テーパ部１０ａの存在により、水抜きホース８がホース挿入部１０に挿入しやすく、またテーパ部１０ａと屈曲部１０ｂとの交点である角の存在により水抜きホース８が簡単には抜けない。但し、強い力で水抜きホース８を反挿入方向に引っ張ればホース挿入部１０から水抜きホース８は抜ける。即ち、水抜きホース８は、ホースエンド部９に着脱自在に取り付けられている。
【００２３】
水抜栓１には、水抜き用の水抜き孔１３が設けられている。
【００２４】
図７に示すように、リング状のシール部材１１が排水管２のネジ部３と螺合する部分の水抜栓１の端部に取り付けられ、水抜き路７を水密している。
【００２５】
次に動作について説明する。
このように構成されたヒートポンプ式給湯機の排水装置２０において、水抜きホース８を、排水路６内の水または温水を機外へ排水する場合、水抜栓１と一体に形成されたホースエンド部９に設けられたホース挿入部１０に嵌合させて取り付ける。排水路６内の水または温水は、水抜栓１とネジ部３との螺合を緩めることにより弁座５と止水用シール部材４との間に形成される隙間より水抜き孔１３を通り水抜栓１と一体に成形されたホースエンド部９を通り、ホースエンド部９に設けられたホース挿入部１０と嵌合している水抜きホース８より外部へ排水される。
【００２６】
排水路６内の水または温水の排水が完了した後、水抜きホース８はホースエンド部９より取り外す。
【００２７】
排水路６内のリング状のシール部材１１は、水抜栓１とネジ部３との螺合を緩めた場合に生じる隙間から漏れる水または温水を保持し、水漏れを防止する。
【００２８】
以上のように、水抜きホース８はホースエンド部９の外周面に設けられた、ホース挿入方向に径が徐々に拡大するテーパ部１０ａと、このテーパ部１０ａから屈曲して段差を形成する屈曲部１０ｂとが連続して複数形成されたホース挿入部１０に嵌合するようにしているので、排水路６内の水または温水の排水完了後は取り外しすることができる。従って、水抜きホース８を劣化させることがない。
【図面の簡単な説明】
【００２９】
【図１】実施の形態１を示す図で、ヒートポンプ式給湯機の給湯ユニット１０１の内部正面図である。
【図２】実施の形態１を示す図で、給湯ユニット１０１の冷媒及び水回路図である。
【図３】実施の形態１を示す図で、温水用熱交換器２１の平面図（ａ）とＡ−Ａ断面図（ｂ）である。
【図４】実施の形態１を示す図で、温水用熱交換器２１の部分斜視図である。
【図５】実施の形態１を示す図で、ヒートポンプ式給湯機の排水装置２０の構成図である。
【図６】実施の形態１を示す図で、ホースエンド部９付近の拡大図である。
【図７】実施の形態１を示す図で、ヒートポンプ式給湯機の排水装置２０の構成図である。
【図８】実施の形態１を示す図で、フロン系冷媒と自然冷媒の特性を比較した図である。
【符号の説明】
【００３０】
１  水抜栓、２  排水管、３  ネジ部、４  止水用シール部材、５  弁座、６  排水路、７  水抜き路、８  水抜きホース、９  ホースエンド部、１０  ホース挿入部、１０ａ  テーパ部、１０ｂ  屈曲部、１１  シール部材、１３  水抜き孔、２０  ヒートポンプ式給湯機の排水装置、２１  温水用熱交換器、２１ａ  曲線部、２１ｂ  直線部、２２  空気用熱交換器、２３  プロペラファン、２４  空気熱交換室、２５  圧縮機、２６  電気品、２７  機械室、２８  中間ベース、２９  ポンプ、３０  給水バルブ、３１  水、３２  冷媒、３３  送水バルブ、３４  水配管、３４ａ  管外壁側螺旋状凹部、３４ｂ  管外壁側螺旋状凸部、３４ｅ  水入口部、３４ｆ  水出口部、３５  冷媒配管、３５ａ  冷媒配管、３５ｂ  冷媒配管、３５ｃ  冷媒配管、３６  絞り装置、１０１  ヒートポンプ式給湯機の給湯ユニット。
【図１】
0004763508.tif 000002
【図２】
0004763508.tif 000003
【図３】
0004763508.tif 000004
【図４】
0004763508.tif 000005
【図５】
0004763508.tif 000006
【図６】
0004763508.tif 000007
【図７】
0004763508.tif 000008
【図８】
0004763508.tif 000009